(57)【要約】【課題】海底生物を効率よく駆除できる海底生物駆除装置を提供する。【解決手段】本発明による海底生物駆除装置は、シャフトに取り付けられ、シャフトが回転しても回転しない固定部とシャフトで回転される可動部からなるスイベルジョイントと、スイベルジョイントの固定部に取り付けられる主吸引ホースと、スイベルジョイントの可動部に取り付けられ、吸引した海水を前記スイベルジョイントから主吸引ホースに向けて送り出す複数の分岐吸引ホースと、スイベルジョイントを支え、シャフトによって回転される環状体と、分岐吸引ホースの先端に設けられ、吸込み口を有する吸込み金具と、吸込み金具を可動可能に環状体につなぐ連結金具と、が備えられる。【選択図】図１
2011250767.tif 000002
【特許請求の範囲】
【請求項１】
シャフトに取り付けられ、前記シャフトが回転しても回転しない固定部と前記シャフトで回転される可動部からなるスイベルジョイントと、
前記スイベルジョイントの固定部に取り付けられる主吸引ホースと、
前記スイベルジョイントの可動部に取り付けられ、吸引した海水を前記スイベルジョイントから前記主吸引ホースに向けて送り出す複数の分岐吸引ホースと、
前記スイベルジョイントを支え、前記シャフトによって回転される環状体と、
前記分岐吸引ホースの先端に設けられ、吸込み口を有する吸込み金具と、
前記吸込み金具を可動可能に前記環状体につなぐ連結金具と、が備えられることを特徴とする海底生物駆除装置。
【請求項２】
前記吸込み金具は、一端に摺動板が設けられることを特徴とする請求項１に記載の海底生物駆除装置。
【発明の詳細な説明】
【技術分野】
【０００１】
本発明は、海底生物駆除装置に係り、より詳細には、フジツボ、ゴカイ、ヒトデ、ヤスデなどの海底生物を効果的に駆除することができる海底生物駆除装置に関する。
【背景技術】
【０００２】
特許文献１には、昆布などの養殖場の海底に繁茂した雑海藻を除去するため、回転体から複数のチェーンを吊り下げて、チェーンの先端を引きずることにより、雑海藻を除去する海底の清掃装置が示されている。しかしながら、異常発生した海底生物などはチェーンを引きずるだけでは有効に駆除することはできない。
【０００３】
特許文献２には、海水を海底に向けて噴射するとともに渦流とした海底の泥を吸上げる汚泥吸引システムと、吸上げた汚泥を海上で浄化処理する浮上式浄化システムと、吸引ユニットを海中で自在に移動操作するためのアーム操作機構と、で構成された海底浄化装置が示されている。しかしながら、このような海底浄化装置を海底生物の駆除に適用すると、除去する必要のない海底の泥まで大量に吸い上げられることになり効率が悪い。
【先行技術文献】
【特許文献】
【０００４】
【特許文献１】特開平７−９５８３０号公報
【特許文献２】特開２０００−７０９９６号公報
【発明の概要】
【発明が解決しようとする課題】
【０００５】
本発明の目的は、海底生物を効率よく駆除できる海底生物駆除装置を提供することにある。
【課題を解決するための手段】
【０００６】
上記の目的を達成するため、本発明による海底生物駆除装置は、シャフトに取り付けられ、前記シャフトが回転しても回転しない固定部と前記シャフトで回転される可動部からなるスイベルジョイントと、前記スイベルジョイントの固定部に取り付けられる主吸引ホースと、前記スイベルジョイントの可動部に取り付けられ、吸引した海水を前記スイベルジョイントから前記主吸引ホースに向けて送り出す複数の分岐吸引ホースと、前記スイベルジョイントを支え、前記シャフトによって回転される環状体と、前記分岐吸引ホースの先端に設けられ、吸込み口を有する吸込み金具と、前記吸込み金具を可動可能に前記環状体につなぐ連結金具と、が備えられることを特徴とする。
【０００７】
前記吸込み金具は、一端に摺動板が設けられることを特徴とする。
【発明の効果】
【０００８】
本発明による海底生物駆除装置によれば、複数の分岐吸引ホースをスイベルジョイントの可動部に取り付け、シャフトで分岐吸引ホースを回転させるようにしたので、分岐吸引ホースの先端から海底生物を吸引することができる。複数の分岐吸引ホースが円軌道を描くように回転させ、海底生物駆除装置を一定の方向に移動すれば、海底の広い範囲をカバーできる。分岐吸引ホースの先端の吸込み金具を連結金具で可動可能に環状体につないだので、環状体が海底に接触するまで降下させても、吸込み金具と分岐吸引ホースが直接衝撃を受けないようにできる。また、連結金具により分岐吸引ホースが遠心力で拡がることもない。
【０００９】
吸込み金具の一端に摺動板を設けた場合、摺動板で海底をこすって海底生物などを海底から追い出すことができる。また、摺動板が海底に接触する吊り下げ位置では、吸込み金具の吸込み口が海底から離れ、吸込み口が斜め水平前方を向くので、不必要に泥などを吸い込まないようにできる。
【図面の簡単な説明】
【００１０】
【図１】本発明による海底生物駆除装置の斜視図である。
【図２】図１の要部の側面図である。
【図３】本発明による海底生物駆除装置の運転状態を示す説明図である。
【発明を実施するための形態】
【００１１】
以下、図面を参照にして本発明による海底生物駆除装置について説明する。
なお、ここで海底生物とは、フジツボ、ゴカイ、ヒトデなど有用ではない生物を指し、海底生物駆除装置はこれらを駆除できる装置とする。
【実施例】
【００１２】
図１は、本発明による海底生物駆除装置の斜視図である。本発明による海底生物駆除装置１００は、駆動モータで回転されるシャフト２、固定部３ａと可動部３ｂからなるスイベルジョイント３、スイベルジョイント３の固定部３ａの側面に取り付けられる主吸引ホース６、スイベルジョイント３の可動部３ｂに取り付けられ、吸引した海水を主吸引ホース６に向けて送り出す３本の分岐吸引ホース７、スイベルジョイント３の可動部３ｂの底部を支え、シャフト２によって回転される環状体５、分岐吸引ホース７の先端に設けられる吸込み金具１２と、吸込み金具１２を可動可能に環状体５につなぐ連結金具１５と、を備える。
【００１３】
スイベルジョイント３の固定部３ａは、シャフト２が回転しても回転しない。一方、スイベルジョイント３の可動部３ｂは、シャフト２の回転によって回転される。シャフト２を回転させると環状体５ならびに３本の分岐吸引ホース７が回転する。これにより分岐吸引ホース７の先端の吸込み金具１２が円の軌道を描き、一端の吸込み口から、海水と海底生物などの固形物を一緒に吸い込む。吸込み金具１２の後端には、摺動板８を設けことが望ましい。摺動板８が海底をこするようにして、海底生物を海底表面から追い出すことができる。
【００１４】
連結金具１５は、吸込み金具１２と環状体５につなぐものである。詳細には、連結金具１５は、複数のリングからなり、環状体５の底部に固定されたフレーム１３と吸込み金具１２とをつないでいる。フレーム１３は環状体５の周の外側に突出しており、分岐吸引ホース７の回転半径を環状体５の半径より大きくすることができる。摺動板８は、海底をこすって海底生物などを海底から追い出すものであり、金属をはじめゴムや樹脂とすることができる。
【００１５】
図２は、図１のスイベルジョイント部の側面図である。海底生物を含む海水は、分岐吸引ホース７先端に設けられた吸込み金具１２の吸込み口から吸い込まれ、スイベルジョイント３の可動部３ｂの内部に入り、固定部３ａを通過して主吸引ホース６に送り出される。シャフト２の回転によって、スイベルジョイント３の固定部３ａは回転せず、可動部３ｂと回転板５が回転される。スイベルジョイント３の内部模式図を引き出し円の中に示す。シャフト２とスイベルジョイント３の可動部３ｂと環状体５は連結され一緒に回転するが、スイベルジョイント３の固定部３ａは連結されておらず、シャフト２が回転しても回転しない。
【００１６】
図２に示すように、摺動板８が海底３０と接触している状態では、吸込み金具１２の吸い込み口は斜め前方を向いている。海底生物駆除装置１００をさらに降下させると、環状体５の底部が海底３０に接触し、分岐吸引ホース７の先端の吸込み金具１２は、環状体５の位置まで上昇し直接荷重を受けない。これは、連結金具１５を複数のリングで構成したことによる。
【００１７】
図３は、本発明による海底生物駆除装置の運転状態を示す説明図である。主吸引ホース６は、船体２０に搭載された渦巻きポンプ１０に接続される。渦巻きポンプ１０は、毎分８トンの海水を吸引する性能がある。渦巻きポンプ１０を出た海底生物を含む海水は、沈降タンク１１に送られる。沈降タンク１１で海水と固形物が分離され、海水は海に戻される。固形物は埋め立て処分などとされる。
【００１８】
図３に示すように、シャフト２は、折り曲げ可能な継手１４を介して駆動モータ１の回転軸に連結される。継手１４は、海底生物駆除装置１００が海底の岩などに乗り上げた場合、折れ曲がってクレーン９に負荷をかけないようにできる。駆動モータ１は、船体２０に設置されたクレーン９の先端に取り付ける。海底生物駆除装置１００を海中のどの深さまで下降させるかは、魚群探知機などにより水深を推定し決める。なお、駆動モータ１は、例として毎分６〜１２回転のモータとすることができる。この回転速度で分岐吸引ホース７が回転する。
【産業上の利用可能性】
【００１９】
本発明による海底生物駆除装置は、海底の有害な海底生物を駆除できる装置として好適である。
【符号の説明】
【００２０】
１    駆動モータ
２    シャフト
３    スイベルジョイント
３ａ    固定部
３ｂ    可動部
５    環状体
６    主吸引ホース
７    分岐吸引ホース
８    摺動板
９    クレーン
１０    渦巻きポンプ
１１    沈降タンク
１２    吸込み金具
１３    フレーム
１４    継手
１５    連結金具
２０    船体
３０    海底
１００    海洋生物駆除装置
【図１】
2011250767.tif 000003
【図２】
2011250767.tif 000004
【図３】
2011250767.tif 000005